【手続補正書】
【提出日】平成24年8月6日(2012.8.6)
【手続補正１】
【補正対象書類名】特許請求の範囲
【補正対象項目名】全文
【補正方法】変更
【補正の内容】
【特許請求の範囲】
【請求項１】
係数ブロックにおける有意な係数の分布を符号化する工程を含む、ビデオ符号化のための方法であって、非ゼロ振幅係数は、有意な係数と表され、前記方法は、
現在の係数ブロックについて、現在の係数ブロックにおける有意な係数の分布を符号化するために必要な結果として生じる数のビットに対して、
サンプル単位モードであって、係数の有意状態が、前記現在の係数ブロックの行又は列を通して順番に走査されるモード、
点座標モードであって、有意な係数の量と、前記現在の係数ブロック内のその座標又は位置が固定長２進数として符号化されるモード、
４分法モードであって、全ての係数が振幅ゼロを有している訳でない、有意な方形と表す方形が、単一の有意な係数に達するまで、等しいサイズの４つの方形に再帰的に分けられ、生成された方形全ての結果として生じる有意状態が符号化されるモード、及び、
１６分割モードであって、有意な方形が、単一の有意な係数に達するまで１６の等しいサイズの方形に再帰的に分けられ、前記４分法モードにおける符号化に対応する、生成された方形全ての結果として生じる有意状態が符号化されるモード
の、分布符号化候補モードを検査する工程と、
有意の係数の分布を符号化するために必要な最小数のビットをもたらす前記候補モードのうちの１つを前記現在の係数ブロックについて選択する工程と、
ビデオ符号化において、前記選択されたモードを前記現在の係数ブロックについて使用する工程であって、前記選択されたモードに対応するキーワード又は数が、前記ビデオ符号化からのビットストリーム出力における前記現在の係数ブロックに含まれる工程
とを含み、前記キーワード又は数のコストは無視できる方法。
【請求項２】
係数ブロックにおける有意な係数の分布を復号化する工程を含む、ビデオ復号化のための方法であって、非ゼロ振幅係数は、有意な係数と表され、前記方法は、
現在の係数ブロックについて、受信された符号化ビデオ・ビット・ストリームにおいてキーワード又は数を評価する工程であって、前記キーワード又は数は、前記現在の係数ブロックにおける有意な係数の分布がビデオ符号化においてどのようにして符号化されたかの選択されたモードを表す工程と、
前記選択されたモードに応じて、有意な係数の位置を前記現在の係数ブロックについて確立する工程と、
サンプル単位モードにおいて、前記現在の係数ブロックの行又は列にわたる順番を表す受信走査データを評価することにより、前記有意な係数の位置を求める工程と、
点座標モードにおいて、固定長２進数として符号化された受信ブロック座標を評価することにより、前記有意な係数の位置を求める工程と、
４分法モードにおいて、方形の受信された有意状態を評価することにより、前記有意な係数の前記位置を求める工程であって、有意な方形と表された、全ての元の係数が振幅ゼロを有していた訳でない方形が、単一の有意な係数に達するまで、等しいサイズの４つの方形に再帰的に分けられた工程と、
１６分割モードにおいて、方形の受信された有意状態を評価することにより、前記有意な係数の前記位置を求める工程であって、有意な方形と表され、元の係数全てが振幅ゼロを有していた訳でない方形が、単一の有意な係数に達するまで、等しいサイズの１６の方形に再帰的に分けられた工程と、
ビデオ復号化について、有意な係数が存在しない位置において、ゼロ振幅係数で前記現在の係数ブロックを埋める工程と
を含む方法。
【請求項３】
請求項１又は２に記載の方法であって、前記係数ブロックは１６＊１６のサイズを有する方法。
【請求項４】
請求項１乃至３のうちの一項に記載の方法であって、前記４分法モードにおいて、生成された方形全ての前記結果として生じる有意状態が、Ｅｘｐ−Ｇｏｌｏｍｂ符号を使用して符号化又は復号化される方法。
【請求項５】
請求項１乃至４のうちの一項に記載の方法であって、ランレングス符号化を備えたジグザグ走査モードが、前記モード検査又は復号化に更に使用される方法。
【請求項６】
係数ブロックにおける有意な係数の分布を符号化する手段を含む、ビデオ符号化のための装置であって、非ゼロ振幅係数は、有意な係数と表され、前記装置は、
現在の係数ブロックについて、現在の係数ブロックにおける有意な係数の分布を符号化するために必要な結果として生じる数のビットに対して、
サンプル単位モードであって、係数の有意状態が、前記現在の係数ブロックの行又は列を通して順番に走査されるモードと、
点座標モードであって、有意な係数の量と、前記現在の係数ブロック内のその座標又は位置が固定長２進数として符号化されるモードと、
４分法モードであって、有意な方形と表す、係数全てが振幅ゼロを有する訳でない方形は、単一の有意な係数に達するまで、等しいサイズの４つの方形に再帰的に分けられ、生成された方形全ての結果として生じる有意状態が符号化されるモードと、
１６分割モードであって、有意な方形は、単一の有意な係数に達するまで１６の等しいサイズの方形に再帰的に分けられ、前記４分法モードにおける符号化に対応する、生成された方形全ての結果として生じる有意状態が符号化されるモードと
の、分布符号化候補モードを検査するよう適合された手段と、
有意の係数の分布を符号化するために必要な最小数のビットをもたらす前記候補モードのうちの１つを前記現在の係数ブロックについて選択するよう適合された手段と、
前記現在の係数ブロックの符号化について、前記選択されたモードを使用するビデオ符号化手段とを含み、前記選択されたモードに対応するキーワード又は数が、前記ビデオ符号化手段からのビットストリーム出力における現在の係数ブロックについて含まれ、前記キーワード又は数のコストは無視できる装置。
【請求項７】
係数ブロックにおける有意な係数の分布を復号化する工程を含む、ビデオ復号化のための装置であって、非ゼロ振幅係数は、有意な係数と表され、前記装置は、
現在の係数ブロックについて、受信された符号化ビデオ・ビット・ストリームにおいてキーワード又は数を評価するよう適合された手段であって、前記キーワード又は数は、前記現在の係数ブロックにおける有意な係数の分布がビデオ符号化においてどのようにして符号化されたかの選択されたモードを表す手段と、
前記選択されたモードに応じて、有意な係数の位置を現在の係数ブロックについて確立するよう適合された手段と、
サンプル単位モードにおいて、前記現在の係数ブロックの行又は列にわたる順番を表す、受信走査データを評価することにより、前記有意な係数の前記位置を求めるよう適合された手段と、
点座標モードにおいて、固定長２進数として符号化された受信係数ブロック座標を評価することにより、前記有意な係数の前記位置を求めるよう適合された手段と、
４分法モードにおいて、方形の受信有意状態を評価することにより、前記有意な係数の前記位置を求めるよう適合された手段であって、有意な方形を表す、元の係数全てが振幅ゼロ全てを有していた訳でない方形は、単一の有形な係数に達するまで等しいサイズの４つの方形に再帰的に分けられた手段と、
１６分割モードにおいて、方形の受信された有意状態を評価することにより、前記有意な係数の前記位置を求めるよう適合された手段であって、有意な方形と表され、元の係数全てが振幅ゼロを有していた訳でない方形が、単一の有意な係数に達するまで、等しいサイズの１６の方形に再帰的に分けられた手段と、
ビデオ復号化について、有意な係数が存在しない位置において、ゼロ振幅係数で前記現在の係数ブロックを埋めるよう適合された手段と
を含む装置。
【請求項８】
請求項６又は７に記載の装置であって、前記係数ブロックは１６＊１６のサイズを有する装置。
【請求項９】
請求項６乃至８のうちの一項に記載の装置であって、前記４分法モードにおいて、生成された方形全ての前記結果として生じる有意状態が、Ｅｘｐ−Ｇｏｌｏｍｂ符号を使用して符号化又は復号化される装置。
【請求項１０】
請求項６乃至９のうちの一項に記載の装置であって、ランレングス符号化を備えたジグザグ走査モードが、前記モード検査又は復号化に更に使用される装置。